(57)【要約】【課題】  ワークに曲がりがある場合でも、一本ずつ正確に移送することができるワーク移送装置を提供する。【解決手段】  本発明によるワーク移送装置は、  所定の位置に配置され、長尺物であるワークを複数本並列山積み状態で載置したワーク載置手段と、  前記ワーク載置手段に山積み載置された複数のワークのうち、最上部に位置するワークの一端側の端部を検出し、そのワークの端部の空間位置を示す空間位置情報信号を出力する検出手段、および  この検出手段からの前記空間位置情報信号を受け、該空間位置情報信号の示す空間位置にあるワークの端部を特定し、その端部に作用して、そのワークを他端側に長軸方向に所定距離移動させ、そのワークの他端側の端部を所定長残りのワークよりはみ出させる第１移動手段  を備えていることを特徴とする。【選択図】  図２
2019116342.tif 000002
【特許請求の範囲】
【請求項１】
所定の位置に配置され、長尺物であるワークを複数本並列山積み状態で載置したワーク載置手段と、
前記ワーク載置手段に山積み載置された複数のワークのうち、最上部に位置するワークの一端側の端部を検出し、そのワークの端部の空間位置を示す空間位置情報信号を出力する検出手段、および
この検出手段からの前記空間位置情報信号を受け、該空間位置情報信号の示す空間位置にあるワークの端部を特定し、その端部に作用して、そのワークを他端側に長軸方向に所定距離移動させ、そのワークの他端側の端部を所定長残りのワークよりはみ出させる第１移動手段
を備えていることを特徴とするワーク移送装置。
【請求項２】
前記ワークの他端側端部を検知し、この他端側端部を保持する第１保持手段、およびこの保持手段により前記他端側端部を保持した状態で、そのワークを前記一端側に長軸方向に所定距離移動させ、そのワークの一端側の端部を残りのワークより所定長はみ出させる第２移動手段
を更に備えている請求項１のワーク移送装置。
【請求項３】
前記第２移動手段により前記１端部側に移動させられ、残りのワークよりはみ出さされたワークの一端部を保持する第２保持手段、および前記ワークを、その一端側の端部を前記第２保持手段により、その他端側の端部を前記第２保持手段により、それぞれ保持した状態で、所定の位置まで移送する移送手段を備えた請求項２のワーク移送装置。
【請求項４】
前記ワークの長手方向に曲がりがある請求項１〜３のいずれかのワーク移送装置。
【請求項５】
前記ワークが、帯状板材または断面多角形棒、丸棒または断面楕円形棒、ならびに円形鋼管、楕円形鋼管または角形鋼管を含む多角形鋼管である請求項１〜３のいずれかのワーク移送装置。
【発明の詳細な説明】
【技術分野】
【０００１】
本発明は、ワーク移送装置に関し、さらに詳細には、長尺な棒材であるワークを、確実に所定位置に配置された処理装置まで移送することができるワーク移送装置に関するものである。
【背景技術】
【０００２】
長尺なワークを一本ずつ処理または加工するために、山積みされた多数のワークの中から、ワークを一本ずつ取り出して他の位置にある加工場所まで搬送する装置あるいはシステムとしては、例えば、特開２００３−１６５６１５号公報（特許文献１）に開示された分離供給装置が知られている。
【０００３】
この分離供給装置は、Ｖ字溝状のストッカ部に溜められたワークである線材のうちの１本だけを、チャックを備えた線材掴み装置で掴んで持ち上げ、線材掴み装置を移動させることで線材を他の位置、例えば処理装置に移送するようにした構造のものである。
【先行技術文献】
【特許文献】
【０００４】
【特許文献１】特開２００３−１６５６１５号公報
【発明の概要】
【発明が解決しようとする課題】
【０００５】
ところで、上記したような従来の装置では、供給するワークがまっすぐである場合には問題なくワークを一本ずつ取り出すことができるが、ワークに曲がりがある場合、キッカーによる供給がうまく作動しない場合があった。例えば、曲がったワークの一部のみがキッカーに載っている場合、キッカーがワークの一部のみを持ち上げて傾斜部へと供給してしまうケースがあった。このようなケースではワークが傾斜部に斜めに跨った状態となってしまい、ワークの供給が正しく行えないという問題があった。
そこで、本発明の目的は、ワークに曲がりがある場合でも、一本ずつ正確に移送することができるワーク移送装置を提供することにある。
【課題を解決するための手段】
【０００６】
上記目的は、下記（１）〜（５）の構造の本発明によるワーク移送装置により達成することができる。
（１）
所定の位置に配置され、長尺物であるワークを複数本並列山積み状態で載置したワーク載置手段と、
前記ワーク載置手段に山積み載置された複数のワークのうち、最上部に位置するワークの一端側の端部を検出し、そのワークの端部の空間位置を示す空間位置情報信号を出力する検出手段、および
この検出手段からの前記空間位置情報信号を受け、該空間位置情報信号の示す空間位置にあるワークの端部を特定し、その端部に作用して、そのワークを他端側に長軸方向に所定距離移動させ、そのワークの他端側の端部を所定長残りのワークよりはみ出させる第１移動手段
を備えていることを特徴とするワーク移送装置。
（２）
前記ワークの他端側端部を検知し、この他端側端部を保持する第１保持手段、およびこの保持手段により前記他端側端部を保持した状態で、そのワークを前記一端側に長軸方向に所定距離移動させ、そのワークの一端側の端部を残りのワークより所定長はみ出させる第２移動手段
を更に備えている前記（１）のワーク移送装置。
（３）
前記第２移動手段により前記１端部側に移動させられ、残りのワークよりはみ出さされたワークの一端部を保持する第２保持手段、および前記ワークを、その一端側の端部を前記第２保持手段により、その他端側の端部を前記第２保持手段により、それぞれ保持した状態で、所定の位置まで移送する移送手段を備えた前記（２）のワーク移送装置。
（４）
前記ワークの長手方向に曲がりがある前記（１）〜（３）のいずれかのワーク移送装置。
（５）
前記ワークが、帯状板材または断面多角形棒、丸棒または断面楕円形棒、ならびに円形鋼管、楕円形鋼管または角形鋼管を含む多角形鋼管である前記（１）〜（３）のいずれかのワーク移送装置。
【発明の効果】
【０００７】
本発明によるワーク移送装置によれば、上記した構造であるので、山積みされた多数のワーク群のなかから、ワークを一本ずつ正確に取り出し、所定の位置（加工位置等）に移送することができる。
【図面の簡単な説明】
【０００８】
【図１】本発明の実施の形態によるワーク移送装置により移送されるワークの山積み状態を示す図である。
【図２】本発明の実施の形態によるワーク移送装置の主体部分をロボットとして実現化したものの概略図である。
【図３】図２に示したロボットの拡大斜視図である。
【図４】図３に示したロボットの主要部であるハンド部の詳細斜視図である。
【図５−１７】本ワーク移送装置を用いてのワークの移送手順を説明するための説明図である。
【発明を実施するための形態】
【０００９】
本発明の実施の形態によるワーク移送装置について、図を参照しながら説明する。
本実施の形態では、ワーク移送装置を主として２台のロボットで構成したものを取り上げた。
【００１０】
本ワーク移送装置は、図１に示したように、載置台Ｐ上に多数本山積みＭされた長尺の棒状のワークＷの中から、一本のワークＷ１を取り出し、ワークの加工位置のような所定位置Ｐまで移送するものである。
【００１１】
本実施の形態に係るワーク供給装置１０は、図２に示すように、主として、前記山積みＭのワークＷの両端の近傍にそれぞれ配置された第１ロボット２０および第２ロボット４０からなる。これら２台のロボットは、左右対称の構造を持っていることが好ましい。
【００１２】
次に、図３を参照して、２台のロボットのうち、図２で見て左側のロボットである第１ロボット２０を代表させて説明する。
第１ロボット２０は、ロボットの胴体部分に相当する多関節のロボット本体２２、このロボット本体２２の上端に枢着されたアーム２４、およびこのアーム２４の先端に可動自在に取り付けられた操作装置２６を備えている。
【００１３】
前記操作装置２６は、略平板状の取付フレーム２８を有し、この取付フレーム２８により前記アーム２４の先端に取り付けられている。この取付フレーム２８の下面等には、レーザー位置センサー３０、ワーク押しレバー３２およびワークつかみ部材３４が設けられている。前記レーザー位置センサー３０は、図示していないレーザー発信器、このレーザー発信器から発信され、ワークにより反射されたレーザーを受信するレーザー受信器、および受信した反射レーザーからワークの空間位置を判断する位置判断手段を備えている。
【００１４】
次に、図５以降を参照して、本実施の形態によるワーク移送装置１０の作動について具体的に説明する。以下の説明では、紙面幅（左右）方向をＸ方向、その方向に延びる軸をＸ軸、紙面奥行き方向をＹ方向、その方向に延びる軸をＹ軸、紙面上下方向をＺ方向、その方向に延びる軸をＺ軸とする。
【００１５】
＜最も高い位置にあるワークの一端のＸおよびＺ軸方向の位置の検出＞
図５（ａ）、（ｂ）に示したように、前記レーザー位置センサー３０のレーザー発信器からのレーザーを、ロボット本体２２およびアーム２４の操作により（以下同じ）、山積みされたワーク群の一端側に沿って走査し、各ワークで反射された反射レーザーを受信して、その反射レーザーの情報から、山積みされたワーク群の中から一番高い位置に位置するワークＷ１の一端部を特定し、その（Ｘ，Ｚ）座標を決定する。
【００１６】
＜最も高い位置にあるワークの一端のＹ軸方向の位置の検出＞
最も高い位置にあるワークＷ１の一端部の座標が決定された後、今度は、図６の（ａ）、（ｂ）、（ｃ）に示したようにして、その一端部のＹ軸方向の座標を決定する。
以上により、最も高い位置にあるワークＷ１の一端部の座標（Ｘ，Ｙ，Ｚ）が決定される。
【００１７】
＜最も高い位置にあるワークの一端側を押しての他端側への移動＞
次に、一端部の座標（Ｘ，Ｙ，Ｚ）が決定されたワークＷ１の該一端部を、図７、図８、図９（ａ）、（ｂ）に示すようにして、ワーク押しレバー３２により他端側に押し、その他端を、他のワーク群から突出させる。以上は、第１ロボット２０により行われる。
【００１８】
次に、第２ロボット４０は、ワークＷ１の突出した端部の空間位置を、そのレーザー位置センサーにより特定（図１０、図１１参照）し、位置を特定した端部を、ワークつかみ部材３４により掴み（図１２参照）、次いでアームを上昇させ（図１３参照）、この後、今度は、ワークＷ１を前記の一端側に押し戻し、当該一端を他のワーク群から突出させる（図１４参照）。
この後、先ほどの第２ロボット４０の動作と同様にして、突出した一端を検出し、そのワークつかみ部材３４により掴み（図１５参照）、第１および第２ロボット２０および４０でワークＷ１を持ち上げ（図１６および図１７参照）、この状態で、ワークＷ１を図２に示した所定位置Ｐに移送し、開放すれば移送作業は完了である。
【００１９】
以上のように、本発明のワーク移送装置によれば、山積みされたワーク群の中から１本のワークを確実に取りだし、所定位置に移送することができる。
【符号の説明】
【００２０】
１０  ワーク移送装置
２０  第１ロボット
３０  レーザー位置センサー
３２  ワーク押しレバー
３４  ワークつかみ部材３４
４０  第２ロボット
【図１】
2019116342.tif 000003
【図２】
2019116342.tif 000004
【図３】
2019116342.tif 000005
【図４】
2019116342.tif 000006
【図５】
2019116342.tif 000007
【図６】
2019116342.tif 000008
【図７】
2019116342.tif 000009
【図８】
2019116342.tif 000010
【図９】
2019116342.tif 000011
【図１０】
2019116342.tif 000012
【図１１】
2019116342.tif 000013
【図１２】
2019116342.tif 000014
【図１３】
2019116342.tif 000015
【図１４】
2019116342.tif 000016
【図１５】
2019116342.tif 000017
【図１６】
2019116342.tif 000018
【図１７】
2019116342.tif 000019
【手続補正書】
【提出日】平成30年1月18日(2018.1.18)
【手続補正１】
【補正対象書類名】明細書
【補正対象項目名】０００８
【補正方法】変更
【補正の内容】
【０００８】
【図１】本発明の実施の形態によるワーク移送装置により移送されるワークの山積み状態を示す図である。
【図２】本発明の実施の形態によるワーク移送装置の主体部分をロボットとして実現化したものの概略図である。
【図３】図２に示したロボットの拡大斜視図である。
【図４】図３に示したロボットの主要部であるハンド部の詳細斜視図である。
【図５】〜
【図１７】本ワーク移送装置を用いてのワークの移送手順を説明するための説明図である。
【手続補正書】
【提出日】平成30年2月16日(2018.2.16)
【手続補正１】
【補正対象書類名】図面
【補正対象項目名】全図
【補正方法】変更
【補正の内容】
【図１】
2019116342.tif 000020
【図２】
2019116342.tif 000021
【図３】
2019116342.tif 000022
【図４】
2019116342.tif 000023
【図５ａ】
2019116342.tif 000024
【図５ｂ】
2019116342.tif 000025
【図６ａ】
2019116342.tif 000026
【図６ｂ】
2019116342.tif 000027
【図６ｃ】
2019116342.tif 000028
【図７】
2019116342.tif 000029
【図８】
2019116342.tif 000030
【図９ａ】
2019116342.tif 000031
【図９ｂ】
2019116342.tif 000032
【図１０】
2019116342.tif 000033
【図１１】
2019116342.tif 000034
【図１２】
2019116342.tif 000035
【図１３】
2019116342.tif 000036
【図１４】
2019116342.tif 000037
【図１５】
2019116342.tif 000038
【図１６】
2019116342.tif 000039
【図１７】
2019116342.tif 000040